(57)【要約】  簡単な構成で表示面に表示した文字または画像の視認性を向上させることができる表示装置。この装置では、撮影部（１０）は、表示面（４１）に対して垂直方向の正面側で表示面（４１）を視認するユーザを撮影する。前景部抽出部（２１１）は、撮影した画像の人物を含む範囲を前景部として抽出する。前景輝度値算出部（２１２）は、前景部の輝度を算出する。背景部抽出部（２２１）は、撮影した画像の前景部以外の範囲を背景部として抽出する。背景輝度値算出部（２２２）は、背景部の輝度を算出する。処理強度算出部（２３）は、前景部の輝度及び背景部の輝度に基づいて、処理強度を求める。画像処理部（３０）は、処理強度に基づいて、表示部（４０）の表示面（４１）の視認性を向上させるための処理を行う。
2008129596.tif 000002
【特許請求の範囲】
【請求項１】
表示面を有する表示手段と、
前記表示面に対して垂直方向の正面側を撮影する撮影手段と、
前記撮影手段で撮影した画像の人物を含む所定範囲を前景部として抽出するとともに、前記画像の前記前景部以外の部分を背景部として抽出する前景部・背景部抽出手段と、
抽出された前記前景部および前記背景部の輝度を算出する輝度算出手段と、
算出された前記前景部の輝度および前記背景部の輝度に基づいて、前記表示面に画像を表示する際の処理強度を決定する表示制御手段と、
を具備する表示装置。
【請求項２】
前記表示制御手段は、前記前景部の輝度が前記背景部の輝度以上の場合に前記前景部の輝度に基づいて前記処理強度を決定し、前記前景部の輝度が前記背景部の輝度未満の場合に前記前景部の輝度と前記背景部の輝度との比に基づいて前記処理強度を決定する請求項１記載の表示装置。
【請求項３】
前記表示手段は、前記表示面を背面側から照射する光源を有し、
前記表示制御手段は、前記処理強度に応じて前記光源による照射レベルを調整する請求項１記載の表示装置
【請求項４】
前記表示制御手段は、前記処理強度に応じて前記表示面に表示する画像のコントラストを調整する請求項１記載の表示装置。
【請求項５】
表示装置を具備する携帯端末装置であって、
前記表示装置は、
表示面を有する表示手段と
前記表示面に対して垂直方向の正面側を撮影する撮影手段と、
前記撮影手段で撮影した画像の人物を含む所定範囲を前景部として抽出するとともに、前記画像の前記前景部以外の部分を背景部として抽出する前景部・背景部抽出手段と、
抽出された前記前景部および前記背景部の輝度を算出する輝度算出手段と、
算出された前記前景部の輝度および前記背景部の輝度に基づいて、前記表示面に画像を表示する際の処理強度を決定する表示制御手段と、
を具備する。
【請求項６】
表示装置に設けた表示面に対して垂直方向の正面側を撮影するステップと、
前記表示装置が、撮影した画像の人物を含む所定範囲を前景部として抽出するとともに、前記画像の前記前景部以外の部分を背景部として抽出するステップと、
前記表示装置が、抽出した前記前景部および前記背景部の輝度を算出するステップと、
前記表示装置が、算出した前記前景部の輝度および前記背景部の輝度に基づいて、前記表示面に画像を表示する際の処理強度を決定するステップと、
を具備する表示方法。
【発明の詳細な説明】
【技術分野】
【０００１】
本発明は、特に外光による影響を考慮して表示面に表示する画像を調整する表示装置及び表示方法に関する。
【背景技術】
【０００２】
従来、携帯電話機やＰＤＡ（Ｐｅｒｓｏｎａｌ  Ｄｉｇｉｔａｌ  Ａｓｓｉｓｔａｎｔｓ）等の表示部を有する携帯端末装置は、メールやブラウザ等のアプリケーションが多数搭載され、屋外でユーザが表示部に表示されたメール内容やブラウザコンテンツ等を閲覧する機会は多い。屋外で表示部を視認する場合、例えば、昼間の晴天時の逆光や順光等の環境条件によっては、表示部の表示が見え難くなるといった問題があった。【０００３】
この問題を解決する方法として、従来の携帯端末装置は、表示部が配設された面と表示部が配設された面の裏面とに照度センサを設けて照度比較を行ない、逆光においても表示部を最適な表示輝度に自動的に調節することができるようにしている（例えば、特許文献１参照）。
【特許文献１】特開２００５−２８６５２３号公報
【発明の開示】
【発明が解決しようとする課題】
【０００４】
しかしながら、特許文献１の携帯端末装置においては、逆光を判定するために、表示部が配設された面と、表示部が配設された面の裏面とに少なくとも２つの照度センサを設ける必要があり、携帯端末装置の構成が複雑になるととともに、照度センサの取り付け箇所を確保しなければならないという問題がある。また、表示部が配設された面と、表示部が配設された面の裏面とに少なくとも２つの照度センサを設ける場合、近年、表示部を反転させることのできる機構を備えた携帯端末装置も多く、その際には表示部が配設された面の裏面に設けた照度センサを用いることができないため、携帯端末装置の様々な形状に対応することができないといった問題がある。また、特許文献１の携帯端末装置においては、ユーザが筐体を把持して表示部を視認する際に、表示部の裏面側の照度センサがユーザの手によって遮蔽されて照度測定が正確に行えないという問題がある。【０００５】
本発明の目的は、簡単な構成で表示面に表示した文字または画像の視認性を向上させることができる表示装置および表示方法を提供することである。
【課題を解決するための手段】
【０００６】
本発明の表示装置は、表示面を有する表示手段と、前記表示面に対して垂直方向の正面側を撮影する撮影手段と、前記撮影手段で撮影した画像の人物を含む所定範囲を前景部として抽出するとともに、前記画像の前記前景部以外の部分を背景部として抽出する前景部・背景部抽出手段と、抽出された前記前景部および前記背景部の輝度を算出する輝度算出手段と、算出された前記前景部の輝度および前記背景部の輝度に基づいて、前記表示面に画像を表示する際の処理強度を決定する表示制御手段と、を具備する構成を採る。【０００７】
また、本発明の表示方法は、表示装置に設けた表示面に対して垂直方向の正面側を撮影するステップと、前記表示装置が、撮影した画像の人物を含む所定範囲を前景部として抽出するとともに、前記画像の前記前景部以外の部分を背景部として抽出するステップと、前記表示装置が、抽出した前記前景部および前記背景部の輝度を算出するステップと、前記表示装置が、算出した前記前景部の輝度および前記背景部の輝度に基づいて、前記表示面に画像を表示する際の処理強度を決定するステップと、を具備するようにした。
【発明の効果】
【０００８】
本発明によれば、簡単な構成で表示面に表示した文字または画像の視認性を向上させることができる。
【図面の簡単な説明】
【０００９】
【図１】本発明の実施の形態に係る表示装置の構成を示すブロック図
【図２】本発明の実施の形態に係る表示装置の使用例を示す図
【図３】本発明の実施の形態に係る撮影部にて撮影された画像の前景部と背景部とを示す図
【図４】本発明の実施の形態に係る撮影部にて撮影される画像を示す図
【図５】本発明の実施の形態に係る表示装置における輝度値と処理強度ｋとの関係を示す図
【図６】本発明の実施の形態に係る表示装置の動作を示すフロー図
【発明を実施するための最良の形態】
【００１０】
以下、本発明の実施の形態について、図面を参照して詳細に説明する。【００１１】
（実施の形態）
図１は、本発明の実施の形態に係る表示装置１００の構成を示すブロック図である。図１の表示装置１００は、例えば、携帯端末装置に適用することができる。【００１２】
図１において、表示装置１００は、撮影部１０と、表示処理部２０と、画像処理部３０と、表示部４０とから主に構成されている。また、表示処理部２０は、前景部輝度算出部２１と、背景部輝度算出部２２と、処理強度算出部２３とを有する。また、前景部輝度算出部２１は、前景部抽出部２１１と前景輝度値算出部２１２とを有し、背景部輝度算出部２２は、背景部抽出部２２１と背景輝度値算出部２２２とを有する。【００１３】
撮影部１０は、ＣＣＤカメラで構成され、撮影レンズの開口部１１に対面する側にあるものを撮影し、撮影信号を表示処理部２０に出力する。図２は、ユーザが表示装置１００を把持して、表示部４０の表示面４１に表示されたメールの文書またはアプリケーションコンテンツに係る画像等を視認している様子を示す模式図である。図２に示すように、撮影部１０の撮影レンズの開口部１１は、表示装置１００の表示部４０の表示面４１が配置される面と同一面に設けられる。そして、撮影部１０は、ユーザが表示面４１に対して垂直方向の正面側に位置して表示面４１を視認するときに、ユーザの顔を撮影する。撮影部１０は、撮影したユーザの顔の撮影信号を表示処理部２０に出力する。【００１４】
ここで、本実施の形態に係る前景部および背景部、前景輝度値ａおよび背景輝度値ｂについて説明する。図３は、撮影部１０にて撮影された画像Ｉの前景部Ｆと背景部Ｂとを模式的に示す図である。図３に示すように、撮影部１０にて撮影された画像Ｉは、ユーザの顔を中心にしたユーザの上半身の画像である。この画像Ｉの撮影信号は、ユーザが表示部４０の表示面４１を視認しているときに、撮影部１０から前景部輝度算出部２１の前景部抽出部２１１および背景部輝度算出部２２の背景部抽出部２２１に入力する。【００１５】
前景部抽出部２１１は、撮影部１０から入力した撮像信号よりユーザの顔の領域を前景部として抽出する。具体的には、前景部抽出部２１１は、図３に示すように、ユーザの顔を囲む領域である、画像位置情報Ｐ１、Ｐ２、Ｐ３及びＰ４を結んだ四角形の内側を前景部Ｆとして抽出する。例えば、前景部抽出部２１１は、目、鼻、口、眉、耳などのひとの顔を構成する部分のエッジを検出し、各部分の配置関係を所定の標準パターンとマッチングするか否かを判定することによって、ユーザの顔の領域を抽出するか、または、人間の顔が肌色であることに着目し、肌色の領域をユーザの顔の領域として抽出する。そして、前景部抽出部２１１は、抽出した前景部を前景輝度値算出部２１２に出力する。【００１６】
前景輝度値算出部２１２は、前景輝度値算出部２１２で抽出された前景部Ｆに含まれる画素の輝度値の平均値を前景輝度値ａとして算出し、算出した前景輝度値ａを処理強度算出部２３に出力する。また、前景輝度値算出部２１２は、前景部Ｆに写っているものが特定できる場合、特定した前景部Ｆの画素のみの輝度値の平均値を前景輝度値ａとすることにより精度良く輝度値を得ることができる。例えば、前景輝度値算出部２１２は、画像Ｉの前景部Ｆの大部分は表示部４０を閲覧しているユーザの顔であるため、前景部Ｆの領域の中で肌色の領域の画素のみの輝度値の平均を求めることで、精度良く前景輝度値ａを算出することが可能になる。【００１７】
背景部抽出部２２１は、撮影部１０から入力した映像信号に基づき、図３に示した背景部Ｂを抽出する。具体的には、背景部抽出部２２１は、前景部抽出部２１１によって抽出した領域を除いた領域、すなわち、図３における画像位置情報Ｐ１、Ｐ２、Ｐ３及びＰ４を結んだ四角形の外側を背景部Ｂとして抽出し、背景輝度値算出部２２２に出力する。【００１８】
背景輝度値算出部２２２は、背景部抽出部２２１が抽出した背景部Ｂに含まれる全画素の輝度値の平均値として背景輝度値ｂを算出し、算出した背景輝度値ｂを処理強度算出部２３に出力する。なお、背景輝度算出部２２２は、背景輝度値ｂの算出を行う場合に、背景部Ｂの画素をランダムにサンプリングし、サンプリングした画素の輝度の平均値をとり、背景輝度値ｂの算出を高速に行なうことも可能である。【００１９】
なお、背景部抽出部２２１は、図３に示した画像位置情報Ｐ１、Ｐ２ 、Ｐ５及びＰ６を結んだ四角形の内側も前景部Ｆとして抽出し、画像位置情報Ｐ１、Ｐ２ 、Ｐ５、Ｐ６を結んだ四角形の外側を背景部Ｂとして抽出することができる。この場合は、図３に示すように、ユーザの顔面部の下部に位置するユーザの首や胸部が背景部Ｂより除かれるので、背景輝度値算出部２２２は、より安定した背景輝度値ｂを算出することが可能になる。【００２０】
表示制御手段としての処理強度算出部２３は、前景輝度値算出部２１２から入力した前景輝度値ａおよび背景輝度算出部２２２から入力した背景輝度値ｂに基づいて、前景部Ｆおよび背景部Ｂに照射される光量を算定して処理強度ｋを求める。そして、処理強度算出部２３は、算出した処理強度ｋを画像処理部３０に出力する。以下、処理強度算出部２３が算出する処理強度ｋについて、図４を用いて説明する。図４は、表示部４０の視認性が変動する様子を、前景部Ｆおよび背景部Ｂに照射される光量に基づき示す模式図である。【００２１】
処理強度算出部２３は、予め定めた閾値Ａ＿ｌｏｗ、閾値Ａ＿ｈｉｇｈ、閾値Ｂ＿ｌｏｗおよび閾値Ｂ＿ｈｉｇｈを記憶しており、これらの閾値と前景輝度値ａおよび背景輝度値ｂと比較を行い、比較結果に基づき、以下のように処理強度ｋを算出する。【００２２】
具体的には、処理強度算出部２３は、前景輝度値ａが所定の閾値Ａ＿ｌｏｗよりも低く、かつ背景輝度値ｂが所定の閾値Ｂ＿ｌｏｗよりも低いか否かを判定する。この判定の結果、前景輝度値ａが所定の閾値Ａ＿ｌｏｗよりも低く、かつ背景輝度値ｂが所定の閾値Ｂ＿ｌｏｗよりも低い場合、撮影部１０が出力する画像Ｉは図４Ａに示すような画像となる。この場合、処理強度算出部２３は、ユーザを照射する外光が弱く、表示部４０のコントラストは十分であるため、視認性向上処理を強く行なう必要はないと判断する。そして、処理強度算出部２３は、この判断結果に基づき、処理強度ｋを最小値K_Minに設定して画像処理部３０に出力する。【００２３】
また、処理強度算出部２３は、前景輝度値ａが所定の閾値Ａ＿ｈｉｇｈより大きく、かつ背景輝度値ｂが所定の閾値Ｂ＿ｈｉｇｈより大きいか否かを判定する。この判定の結果、前景輝度値ａが所定の閾値Ａ＿ｈｉｇｈより大きく、かつ背景輝度値ｂが所定の閾値Ｂ＿ｈｉｇｈより大きいである場合、撮影部１０が出力する画像Ｉは図４Ｄに示すような画像となる。この場合、処理強度算出部２３は、ユーザを照射する外光が非常に強く、表示部４０のコントラストが低下しており、視認性向上処理を強く行なう必要があると判定する。そして、処理強度算出部２３は、この判断結果に基づき、処理強度ｋを最大値K_Mａxに設定して、画像処理部３０に出力する。【００２４】
また、処理強度算出部２３は、前景輝度ａの大きさが閾値Ａ＿ｌｏｗより小さく且つ背景輝度値ｂの値が閾値Ｂ＿ｌｏｗより小さい場合、及び前景輝度ａの大きさが閾値Ａ＿ｈｉｇｈより大きく且つ背景輝度値ｂの値が閾値Ｂ＿ｈｉｇｈより大きい場合以外は、前景輝度値ａと背景輝度値ｂとを比較して外光の方向を判定し、処理強度ｋを算出する。具体的には、前景輝度値ａが背景輝度値ｂ以上の場合、撮影部１０が出力する画像Ｉは図４Ｂに示すような順光画像となる。この場合、処理強度算出部２３は、外光がユーザの正面方向から指していて、ユーザの目に直接外光が入り、表示部４０の視認性は大きく低下しているものと判断する。加えて、この場合、前景輝度値ａが背景輝度値ｂ以上であるということは、前景部Ｆに写っているユーザに当たる外光が強いということであり、ユーザの目に入る外光も大きくなり、それに伴って視認性の低下度合いも大きくなるので、前景輝度値ａの大きさに合わせて処理強度ｋを強くする必要がある。すなわち、この場合、前景輝度値ａと外光の強さは比例するので、処理強度算出部２３は、処理強度ｋを図５Ａに示す前景輝度値ａに比例する関数によって算出する。【００２５】
また、処理強度算出部２３は、前景輝度ａの大きさが閾値Ａ＿ｌｏｗより小さく且つ背景輝度値ｂの値が閾値Ｂ＿ｌｏｗより小さい場合、及び前景輝度ａの大きさが閾値Ａ＿ｈｉｇｈより大きく且つ背景輝度値ｂの値が閾値Ｂ＿ｈｉｇｈより大きい場合以外であって、前景輝度値ａが背景輝度値ｂよりも小さい場合、撮影部１０が出力する画像Ｉは図４Ｃに示すような逆光画像となる。この場合、処理強度算出部２３は、外光がユーザの背後方向から指していて、ユーザの目に直接外光が入ることはないものの、周りの照度が高くなると、表示部４０のコントラストが低下するため、視認性が低下するものと判断する。加えて、この場合、前景輝度値ａと背景輝度値ｂの比ｂ／ａは、逆光画像の逆光の程度を表し、比ｂ／ａが大きいということは、逆光の程度は大きく、周りの照度が高いと判断できるので、前景輝度値ａと背景輝度値ｂの比ｂ／ａの大きさに応じて処理強度ｋを強くする必要がある。すなわち、この場合、比ｂ／ａの大きさと外光の強さとは比例するので、処理強度算出部２３は、処理強度ｋを図５Ｂに示す比ｂ／ａに比例する関数によって算出する。【００２６】
処理強度算出部２３は、以上のようにして前景輝度値ａおよび背景輝度値ｂに基づいて処理強度ｋを算出して画像処理部３０に出力する。【００２７】
表示制御手段としての画像処理部３０は、処理強度算出部２３から入力した処理強度ｋに従って、表示部４０に対して、表示部４０の表示面４１における視認性を向上させるための処理を行う。【００２８】
ここで、視認性を向上させるための処理とは、具体的には、処理強度ｋの値の範囲をK_Min≦k≦K_Mａxとし、その値に基づいて表示部４０のバックライト部４２（光源）のバックライトレベルを変更する。すなわち、画像処理部３０は、処理強度ｋが最小値K_Minの場合にはバックライトレベルを最小にし、処理強度ｋが最大値K_Mａxの場合にはバックライトレベルを最大にする。また、画像処理部３０は、予め処理強度ｋに応じてバックライトレベルを数段階に設定し、処理強度ｋが最小値K_Minと最大値K_Mａxとの間の値の場合には、処理強度ｋに応じて、設定したバックライトレベルを選択することによりバックライトレベルの変更を行う。【００２９】
またバックライトレベルを制御する方法の他に、処理強度ｋに基づいて表示部４０に表示する画像等の情報のコントラストを強めるなど、コントラストの強度を調節する方法により視認性を向上させることが可能である。例えば、画像処理部３０は、予め入力時の画素と出力時の画素とを関係付けたコントラスト調整用の画像処理情報を記憶しておき、出力時の画素に処理強度ｋを乗算することによって、コントラストを調整する画像処理を行うことが可能である。なお、画像処理部３０は、ｋ＝０とすることで、視認性向上のための処理を行わないこともできる。また、画像処理部３０は、バックライトレベルの制御とコントラスト制御の両方による調整を行うようにしてもよい。【００３０】
表示部４０は、ＬＣＤ（Ｌｉｑｕｉｄ Ｃｒｙｓｔａｌ Ｄｉｓｐｌａｙ）で構成された表示面４１、および表示面４１の明るさ調整して表示面４１の視認性を調整するためのバックライト４２を有する。また、表示部４０は、画像処理部３０における視認性を向上させるための処理に従った表示を行う。例えば、表示部４０は、画像処理部３０から入力するバックライトレベルを制御する信号に基づいてバックライト４２の照度を調整する。【００３１】
次に、表示装置１００の動作について、図６を用いて説明する。図６は、表示装置１００の動作を示すフロー図である。【００３２】
最初、撮影部１０は、表示部４０に表示されている情報を閲覧しているユーザを例えば２秒ごとに撮影する（ステップＳ１０１）。【００３３】
次に、前景部抽出部２１１は、撮影部１０から入力した画像Ｉから前景部Ｆを抽出し、前景輝度値算出部２１２は、前景輝度値ａを算出する（ステップＳ１０２）。【００３４】
次に、背景部抽出部２２１は、撮影部１０から入力した画像Ｉから背景部Ｂを抽出し、背景輝度値算出部２２２は、背景輝度値ｂを算出する（ステップＳ１０３）。【００３５】
次に、処理強度算出部２３は、前景輝度値ａが所定の閾値Ａ＿ｌｏｗよりも低く、かつ背景輝度値ｂが所定の閾値Ｂ＿ｌｏｗよりも低いか否かを判定する（ステップＳ１０４）。【００３６】
前景輝度値ａが所定の閾値Ａ＿ｌｏｗよりも低く、かつ背景輝度値ｂが所定の閾値Ｂ＿ｌｏｗよりも低い場合（ステップＳ１０４、ＹＥＳ）、処理強度算出部２３は、視認性向上処理を強く行なう必要はないと判断し、処理強度ｋを最小値K_Minとする。【００３７】
次に、ステップＳ１０４の判定結果がＮＯの場合、処理強度算出部２３は、前景輝度値ａが所定の閾値Ａ＿ｈｉｇｈより大きく、かつ背景輝度値ｂが所定の閾値Ｂ＿ｈｉｇｈより大きいか否かを判定する（ステップＳ１０５）。【００３８】
次に、前景輝度値ａが所定の閾値Ａ＿ｈｉｇｈより大きく、かつ背景輝度値ｂが所定の閾値Ｂ＿ｈｉｇｈより大きい場合（ステップＳ１０５、ＹＥＳ）、外光が非常に強く、表示部４０のコントラストが低下しているため、処理強度算出部２３は、視認性向上処理を強く行なう必要があると判断して、処理強度ｋを最大値K_Mａxとする。【００３９】
次に、ステップＳ１０５の判定結果がＮＯの場合、処理強度算出部２３は、前景輝度値ａと背景輝度値ｂとを比較して外光の方向を判定し（ステップＳ１０６）、処理強度ｋを算出する（ステップＳ１０７またはステップＳ１０８）。【００４０】
次に、前景輝度値ａが背景輝度値ｂ以上の場合（ステップＳ１０６、ＹＥＳ）、ユーザの目に入る外光も大きくなり、それに伴って視認性の低下度合いも大きくなる。よって、処理強度算出部２３は、処理強度ｋを図５Ａに示す前景輝度値ａに比例する関数によって算出する。【００４１】
一方、前景輝度値ａが背景輝度値ｂよりも低い場合（ステップＳ１０６、ＮＯ）、画像Ｉは逆光画像となり、処理強度算出部２３は、外光がユーザの背後方向から指していて、ユーザの目に直接外光が入ることはないものの、周りの照度が高くなると、表示部４０のコントラストが低下するため、視認性が低下するものと判断する。【００４２】
ここで、前景輝度値ａと背景輝度値ｂの比ｂ／ａは、逆光画像の逆光の程度を表し、比ｂ／ａが大きいということは、逆光の程度は大きく、周りの照度が高いことを意味する。よって、前景輝度値ａと背景輝度値ｂの比ｂ／ａの大きさに合わせて処理強度ｋを強くする必要がある。すなわち、比ｂ／ａの大きさと外光の強さとは比例するので、処理強度算出部２３は、処理強度ｋを逆光の程度を表す比ｂ／ａに比例する値として算出する。【００４３】
次に、画像処理部３０は、視認性を向上させるための処理を行い、表示部４０は、視認性を向上させるための処理に従って、メールの文書またはアプリケーションコンテンツに係る画像等を表示する（ステップＳ１０９）。【００４４】
このように、本実施の形態によれば、表示部４０の表示面４１と同じ面に配置された撮影部１０が撮影した画像の撮影情報に基づいて前景部輝度と背景部輝度を算出し、両輝度に基づき視認性指示を算出するので、表示部４０が配置される面の裏面側に照度センサを設ける必要がなく、簡単な構成で表示部４０の視認性を向上するための画像処理制御を行うことができる。また、本実施の形態によれば、撮影部１０は、ユーザが表示部４０を視認する状態である表示部４０と対面する撮影部１０でユーザの顔面を撮影するので、常時安定した位置関係で前面部および背面部を撮影することができる。また、本実施の形態によれば、画像処理強度ｋを算出するための撮影は、ユーザが表示部４０を視認している間、例えば２秒ごとに繰返し行うので、ユーザが表示面４１を視認中に周辺の光量の条件が変動した場合も、条件変動に応じた視認性向上のための処理を行なうことができる。
【産業上の利用可能性】
【００４５】
本発明にかかる表示装置及び表示方法は、特に外光による影響を考慮して表示面に表示する画像を調整するのに好適である。
【図１】
2008129596.tif 000003
【図２】
2008129596.tif 000004
【図３】
2008129596.tif 000005
【図４】
2008129596.tif 000006
【図５】
2008129596.tif 000007
【図６】
2008129596.tif 000008
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
表示面を有する表示手段と、
前記表示面に対して垂直方向の正面側を撮影する撮影手段と、
前記撮影手段で撮影した画像の人物を含む所定範囲を前景部として抽出するとともに、前記画像の前記前景部以外の部分を背景部として抽出する前景部・背景部抽出手段と、
抽出された前記前景部および前記背景部の輝度を算出する輝度算出手段と、
算出された前記前景部の輝度および前記背景部の輝度に基づいて、前記表示面に画像を表示する際の処理強度を決定する表示制御手段と、
を具備する表示装置。
【請求項２】
前記表示制御手段は、前記前景部の輝度が前記背景部の輝度以上の場合に前記前景部の輝度に基づいて前記処理強度を決定し、前記前景部の輝度が前記背景部の輝度未満の場合に前記前景部の輝度と前記背景部の輝度との比に基づいて前記処理強度を決定する請求項１記載の表示装置。
【請求項３】
前記表示手段は、前記表示面を背面側から照射する光源を有し、
前記表示制御手段は、前記処理強度に応じて前記光源による照射レベルを調整する請求項１記載の表示装置
【請求項４】
前記表示制御手段は、前記処理強度に応じて前記表示面に表示する画像のコントラストを調整する請求項１記載の表示装置。
【請求項５】
表示装置を具備する携帯端末装置であって、
前記表示装置は、
表示面を有する表示手段と
前記表示面に対して垂直方向の正面側を撮影する撮影手段と、
前記撮影手段で撮影した画像の人物を含む所定範囲を前景部として抽出するとともに、前記画像の前記前景部以外の部分を背景部として抽出する前景部・背景部抽出手段と、
抽出された前記前景部および前記背景部の輝度を算出する輝度算出手段と、
算出された前記前景部の輝度および前記背景部の輝度に基づいて、前記表示面に画像を表示する際の処理強度を決定する表示制御手段と、
を具備する。
【請求項６】
表示装置に設けた表示面に対して垂直方向の正面側を撮影するステップと、
前記表示装置が、撮影した画像の人物を含む所定範囲を前景部として抽出するとともに、前記画像の前記前景部以外の部分を背景部として抽出するステップと、
前記表示装置が、抽出した前記前景部および前記背景部の輝度を算出するステップと、
前記表示装置が、算出した前記前景部の輝度および前記背景部の輝度に基づいて、前記表示面に画像を表示する際の処理強度を決定するステップと、
を具備する表示方法。
【手続補正２】
【補正対象書類名】明細書
【補正対象項目名】全文
【補正方法】変更
【補正の内容】
【発明の詳細な説明】
【技術分野】
【０００１】
本発明は、特に外光による影響を考慮して表示面に表示する画像を調整する表示装置及び表示方法に関する。
【背景技術】
【０００２】
従来、携帯電話機やＰＤＡ（Ｐｅｒｓｏｎａｌ  Ｄｉｇｉｔａｌ  Ａｓｓｉｓｔａｎｔｓ）等の表示部を有する携帯端末装置は、メールやブラウザ等のアプリケーションが多数搭載され、屋外でユーザが表示部に表示されたメール内容やブラウザコンテンツ等を閲覧する機会は多い。屋外で表示部を視認する場合、例えば、昼間の晴天時の逆光や順光等の環境条件によっては、表示部の表示が見え難くなるといった問題があった。
【０００３】
この問題を解決する方法として、従来の携帯端末装置は、表示部が配設された面と表示部が配設された面の裏面とに照度センサを設けて照度比較を行ない、逆光においても表示部を最適な表示輝度に自動的に調節することができるようにしている（例えば、特許文献１参照）。
【特許文献１】特開２００５−２８６５２３号公報
【発明の開示】
【発明が解決しようとする課題】
【０００４】
しかしながら、特許文献１の携帯端末装置においては、逆光を判定するために、表示部が配設された面と、表示部が配設された面の裏面とに少なくとも２つの照度センサを設ける必要があり、携帯端末装置の構成が複雑になるとともに、照度センサの取り付け箇所を確保しなければならないという問題がある。また、表示部が配設された面と、表示部が配設された面の裏面とに少なくとも２つの照度センサを設ける場合、近年、表示部を反転させることのできる機構を備えた携帯端末装置も多く、その際には表示部が配設された面の裏面に設けた照度センサを用いることができないため、携帯端末装置の様々な形状に対応することができないといった問題がある。また、特許文献１の携帯端末装置においては、ユーザが筐体を把持して表示部を視認する際に、表示部の裏面側の照度センサがユーザの手によって遮蔽されて照度測定が正確に行えないという問題がある。
【０００５】
本発明の目的は、簡単な構成で表示面に表示した文字または画像の視認性を向上させることができる表示装置および表示方法を提供することである。
【課題を解決するための手段】
【０００６】
本発明の表示装置は、表示面を有する表示手段と、前記表示面に対して垂直方向の正面側を撮影する撮影手段と、前記撮影手段で撮影した画像の人物を含む所定範囲を前景部として抽出するとともに、前記画像の前記前景部以外の部分を背景部として抽出する前景部・背景部抽出手段と、抽出された前記前景部および前記背景部の輝度を算出する輝度算出手段と、算出された前記前景部の輝度および前記背景部の輝度に基づいて、前記表示面に画像を表示する際の処理強度を決定する表示制御手段と、を具備する構成を採る。
【０００７】
また、本発明の表示方法は、表示装置に設けた表示面に対して垂直方向の正面側を撮影するステップと、前記表示装置が、撮影した画像の人物を含む所定範囲を前景部として抽出するとともに、前記画像の前記前景部以外の部分を背景部として抽出するステップと、前記表示装置が、抽出した前記前景部および前記背景部の輝度を算出するステップと、前記表示装置が、算出した前記前景部の輝度および前記背景部の輝度に基づいて、前記表示面に画像を表示する際の処理強度を決定するステップと、を具備するようにした。
【発明の効果】
【０００８】
本発明によれば、簡単な構成で表示面に表示した文字または画像の視認性を向上させることができる。
【発明を実施するための最良の形態】
【０００９】
以下、本発明の実施の形態について、図面を参照して詳細に説明する。
【００１０】
（実施の形態）
図１は、本発明の実施の形態に係る表示装置１００の構成を示すブロック図である。図１の表示装置１００は、例えば、携帯端末装置に適用することができる。
【００１１】
図１において、表示装置１００は、撮影部１０と、表示処理部２０と、画像処理部３０と、表示部４０とから主に構成されている。また、表示処理部２０は、前景部輝度算出部２１と、背景部輝度算出部２２と、処理強度算出部２３とを有する。また、前景部輝度算出部２１は、前景部抽出部２１１と前景輝度値算出部２１２とを有し、背景部輝度算出部２２は、背景部抽出部２２１と背景輝度値算出部２２２とを有する。
【００１２】
撮影部１０は、ＣＣＤカメラで構成され、撮影レンズの開口部１１に対面する側にあるものを撮影し、撮影信号を表示処理部２０に出力する。図２は、ユーザが表示装置１００を把持して、表示部４０の表示面４１に表示されたメールの文書またはアプリケーションコンテンツに係る画像等を視認している様子を示す模式図である。図２に示すように、撮影部１０の撮影レンズの開口部１１は、表示装置１００の表示部４０の表示面４１が配置される面と同一面に設けられる。そして、撮影部１０は、ユーザが表示面４１に対して垂直方向の正面側に位置して表示面４１を視認するときに、ユーザの顔を撮影する。撮影部１０は、撮影したユーザの顔の撮影信号を表示処理部２０に出力する。
【００１３】
ここで、本実施の形態に係る前景部および背景部、前景輝度値ａおよび背景輝度値ｂについて説明する。図３は、撮影部１０にて撮影された画像Ｉの前景部Ｆと背景部Ｂとを模式的に示す図である。図３に示すように、撮影部１０にて撮影された画像Ｉは、ユーザの顔を中心にしたユーザの上半身の画像である。この画像Ｉの撮影信号は、ユーザが表示部４０の表示面４１を視認しているときに、撮影部１０から前景部輝度算出部２１の前景部抽出部２１１および背景部輝度算出部２２の背景部抽出部２２１に入力する。
【００１４】
前景部抽出部２１１は、撮影部１０から入力した撮像信号よりユーザの顔の領域を前景部として抽出する。具体的には、前景部抽出部２１１は、図３に示すように、ユーザの顔を囲む領域である、画像位置情報Ｐ１、Ｐ２、Ｐ３及びＰ４を結んだ四角形の内側を前景部Ｆとして抽出する。例えば、前景部抽出部２１１は、目、鼻、口、眉、耳などのひとの顔を構成する部分のエッジを検出し、各部分の配置関係を所定の標準パターンとマッチングするか否かを判定することによって、ユーザの顔の領域を抽出するか、または、人間の
顔が肌色であることに着目し、肌色の領域をユーザの顔の領域として抽出する。そして、前景部抽出部２１１は、抽出した前景部を前景輝度値算出部２１２に出力する。
【００１５】
前景輝度値算出部２１２は、前景輝度値算出部２１２で抽出された前景部Ｆに含まれる画素の輝度値の平均値を前景輝度値ａとして算出し、算出した前景輝度値ａを処理強度算出部２３に出力する。また、前景輝度値算出部２１２は、前景部Ｆに写っているものが特定できる場合、特定した前景部Ｆの画素のみの輝度値の平均値を前景輝度値ａとすることにより精度良く輝度値を得ることができる。例えば、前景輝度値算出部２１２は、画像Ｉの前景部Ｆの大部分は表示部４０を閲覧しているユーザの顔であるため、前景部Ｆの領域の中で肌色の領域の画素のみの輝度値の平均を求めることで、精度良く前景輝度値ａを算出することが可能になる。
【００１６】
背景部抽出部２２１は、撮影部１０から入力した映像信号に基づき、図３に示した背景部Ｂを抽出する。具体的には、背景部抽出部２２１は、前景部抽出部２１１によって抽出した領域を除いた領域、すなわち、図３における画像位置情報Ｐ１、Ｐ２、Ｐ３及びＰ４を結んだ四角形の外側を背景部Ｂとして抽出し、背景輝度値算出部２２２に出力する。
【００１７】
背景輝度値算出部２２２は、背景部抽出部２２１が抽出した背景部Ｂに含まれる全画素の輝度値の平均値として背景輝度値ｂを算出し、算出した背景輝度値ｂを処理強度算出部２３に出力する。なお、背景輝度算出部２２２は、背景輝度値ｂの算出を行う場合に、背景部Ｂの画素をランダムにサンプリングし、サンプリングした画素の輝度の平均値をとり、背景輝度値ｂの算出を高速に行なうことも可能である。
【００１８】
なお、背景部抽出部２２１は、図３に示した画像位置情報Ｐ１、Ｐ２ 、Ｐ５及びＰ６を結んだ四角形の内側も前景部Ｆとして抽出し、画像位置情報Ｐ１、Ｐ２ 、Ｐ５、Ｐ６を結んだ四角形の外側を背景部Ｂとして抽出することができる。この場合は、図３に示すように、ユーザの顔面部の下部に位置するユーザの首や胸部が背景部Ｂより除かれるので、背景輝度値算出部２２２は、より安定した背景輝度値ｂを算出することが可能になる。
【００１９】
表示制御手段としての処理強度算出部２３は、前景輝度値算出部２１２から入力した前景輝度値ａおよび背景輝度算出部２２２から入力した背景輝度値ｂに基づいて、前景部Ｆおよび背景部Ｂに照射される光量を算定して処理強度ｋを求める。そして、処理強度算出部２３は、算出した処理強度ｋを画像処理部３０に出力する。以下、処理強度算出部２３が算出する処理強度ｋについて、図４を用いて説明する。図４は、表示部４０の視認性が変動する様子を、前景部Ｆおよび背景部Ｂに照射される光量に基づき示す模式図である。
【００２０】
処理強度算出部２３は、予め定めた閾値Ａ＿ｌｏｗ、閾値Ａ＿ｈｉｇｈ、閾値Ｂ＿ｌｏｗおよび閾値Ｂ＿ｈｉｇｈを記憶しており、これらの閾値と前景輝度値ａおよび背景輝度値ｂと比較を行い、比較結果に基づき、以下のように処理強度ｋを算出する。
【００２１】
具体的には、処理強度算出部２３は、前景輝度値ａが所定の閾値Ａ＿ｌｏｗよりも低く、かつ背景輝度値ｂが所定の閾値Ｂ＿ｌｏｗよりも低いか否かを判定する。この判定の結果、前景輝度値ａが所定の閾値Ａ＿ｌｏｗよりも低く、かつ背景輝度値ｂが所定の閾値Ｂ＿ｌｏｗよりも低い場合、撮影部１０が出力する画像Ｉは図４Ａに示すような画像となる。この場合、処理強度算出部２３は、ユーザを照射する外光が弱く、表示部４０のコントラストは十分であるため、視認性向上処理を強く行なう必要はないと判断する。そして、処理強度算出部２３は、この判断結果に基づき、処理強度ｋを最小値K_Minに設定して画像処理部３０に出力する。
【００２２】
また、処理強度算出部２３は、前景輝度値ａが所定の閾値Ａ＿ｈｉｇｈより大きく、か
つ背景輝度値ｂが所定の閾値Ｂ＿ｈｉｇｈより大きいか否かを判定する。この判定の結果、前景輝度値ａが所定の閾値Ａ＿ｈｉｇｈより大きく、かつ背景輝度値ｂが所定の閾値Ｂ＿ｈｉｇｈより大きいである場合、撮影部１０が出力する画像Ｉは図４Ｄに示すような画像となる。この場合、処理強度算出部２３は、ユーザを照射する外光が非常に強く、表示部４０のコントラストが低下しており、視認性向上処理を強く行なう必要があると判定する。そして、処理強度算出部２３は、この判断結果に基づき、処理強度ｋを最大値K_Mａxに設定して、画像処理部３０に出力する。
【００２３】
また、処理強度算出部２３は、前景輝度ａの大きさが閾値Ａ＿ｌｏｗより小さく且つ背景輝度値ｂの値が閾値Ｂ＿ｌｏｗより小さい場合、及び前景輝度ａの大きさが閾値Ａ＿ｈｉｇｈより大きく且つ背景輝度値ｂの値が閾値Ｂ＿ｈｉｇｈより大きい場合以外は、前景輝度値ａと背景輝度値ｂとを比較して外光の方向を判定し、処理強度ｋを算出する。具体的には、前景輝度値ａが背景輝度値ｂ以上の場合、撮影部１０が出力する画像Ｉは図４Ｂに示すような順光画像となる。この場合、処理強度算出部２３は、外光がユーザの正面方向から指していて、ユーザの目に直接外光が入り、表示部４０の視認性は大きく低下しているものと判断する。加えて、この場合、前景輝度値ａが背景輝度値ｂ以上であるということは、前景部Ｆに写っているユーザに当たる外光が強いということであり、ユーザの目に入る外光も大きくなり、それに伴って視認性の低下度合いも大きくなるので、前景輝度値ａの大きさに合わせて処理強度ｋを強くする必要がある。すなわち、この場合、前景輝度値ａと外光の強さは比例するので、処理強度算出部２３は、処理強度ｋを図５Ａに示す前景輝度値ａに比例する関数によって算出する。
【００２４】
また、処理強度算出部２３は、前景輝度ａの大きさが閾値Ａ＿ｌｏｗより小さく且つ背景輝度値ｂの値が閾値Ｂ＿ｌｏｗより小さい場合、及び前景輝度ａの大きさが閾値Ａ＿ｈｉｇｈより大きく且つ背景輝度値ｂの値が閾値Ｂ＿ｈｉｇｈより大きい場合以外であって、前景輝度値ａが背景輝度値ｂよりも小さい場合、撮影部１０が出力する画像Ｉは図４Ｃに示すような逆光画像となる。この場合、処理強度算出部２３は、外光がユーザの背後方向から指していて、ユーザの目に直接外光が入ることはないものの、周りの照度が高くなると、表示部４０のコントラストが低下するため、視認性が低下するものと判断する。加えて、この場合、前景輝度値ａと背景輝度値ｂの比ｂ／ａは、逆光画像の逆光の程度を表し、比ｂ／ａが大きいということは、逆光の程度は大きく、周りの照度が高いと判断できるので、前景輝度値ａと背景輝度値ｂの比ｂ／ａの大きさに応じて処理強度ｋを強くする必要がある。すなわち、この場合、比ｂ／ａの大きさと外光の強さとは比例するので、処理強度算出部２３は、処理強度ｋを図５Ｂに示す比ｂ／ａに比例する関数によって算出する。
【００２５】
処理強度算出部２３は、以上のようにして前景輝度値ａおよび背景輝度値ｂに基づいて処理強度ｋを算出して画像処理部３０に出力する。
【００２６】
表示制御手段としての画像処理部３０は、処理強度算出部２３から入力した処理強度ｋに従って、表示部４０に対して、表示部４０の表示面４１における視認性を向上させるための処理を行う。
【００２７】
ここで、視認性を向上させるための処理とは、具体的には、処理強度ｋの値の範囲をK_Min≦k≦K_Mａxとし、その値に基づいて表示部４０のバックライト部４２（光源）のバックライトレベルを変更する。すなわち、画像処理部３０は、処理強度ｋが最小値K_Minの場合にはバックライトレベルを最小にし、処理強度ｋが最大値K_Mａxの場合にはバックライトレベルを最大にする。また、画像処理部３０は、予め処理強度ｋに応じてバックライトレベルを数段階に設定し、処理強度ｋが最小値K_Minと最大値K_Mａxとの間の値の場合には、処理強度ｋに応じて、設定したバックライトレベルを選択することによりバックラ
イトレベルの変更を行う。
【００２８】
またバックライトレベルを制御する方法の他に、処理強度ｋに基づいて表示部４０に表示する画像等の情報のコントラストを強めるなど、コントラストの強度を調節する方法により視認性を向上させることが可能である。例えば、画像処理部３０は、予め入力時の画素と出力時の画素とを関係付けたコントラスト調整用の画像処理情報を記憶しておき、出力時の画素に処理強度ｋを乗算することによって、コントラストを調整する画像処理を行うことが可能である。なお、画像処理部３０は、ｋ＝０とすることで、視認性向上のための処理を行わないこともできる。また、画像処理部３０は、バックライトレベルの制御とコントラスト制御の両方による調整を行うようにしてもよい。
【００２９】
表示部４０は、ＬＣＤ（Ｌｉｑｕｉｄ Ｃｒｙｓｔａｌ Ｄｉｓｐｌａｙ）で構成された表示面４１、および表示面４１の明るさ調整して表示面４１の視認性を調整するためのバックライト４２を有する。また、表示部４０は、画像処理部３０における視認性を向上させるための処理に従った表示を行う。例えば、表示部４０は、画像処理部３０から入力するバックライトレベルを制御する信号に基づいてバックライト４２の照度を調整する。
【００３０】
次に、表示装置１００の動作について、図６を用いて説明する。図６は、表示装置１００の動作を示すフロー図である。
【００３１】
最初、撮影部１０は、表示部４０に表示されている情報を閲覧しているユーザを例えば２秒ごとに撮影する（ステップＳ１０１）。
【００３２】
次に、前景部抽出部２１１は、撮影部１０から入力した画像Ｉから前景部Ｆを抽出し、前景輝度値算出部２１２は、前景輝度値ａを算出する（ステップＳ１０２）。
【００３３】
次に、背景部抽出部２２１は、撮影部１０から入力した画像Ｉから背景部Ｂを抽出し、背景輝度値算出部２２２は、背景輝度値ｂを算出する（ステップＳ１０３）。
【００３４】
次に、処理強度算出部２３は、前景輝度値ａが所定の閾値Ａ＿ｌｏｗよりも低く、かつ背景輝度値ｂが所定の閾値Ｂ＿ｌｏｗよりも低いか否かを判定する（ステップＳ１０４）。
【００３５】
前景輝度値ａが所定の閾値Ａ＿ｌｏｗよりも低く、かつ背景輝度値ｂが所定の閾値Ｂ＿ｌｏｗよりも低い場合（ステップＳ１０４、ＹＥＳ）、処理強度算出部２３は、視認性向上処理を強く行なう必要はないと判断し、処理強度ｋを最小値K_Minとする。
【００３６】
次に、ステップＳ１０４の判定結果がＮＯの場合、処理強度算出部２３は、前景輝度値ａが所定の閾値Ａ＿ｈｉｇｈより大きく、かつ背景輝度値ｂが所定の閾値Ｂ＿ｈｉｇｈより大きいか否かを判定する（ステップＳ１０５）。
【００３７】
次に、前景輝度値ａが所定の閾値Ａ＿ｈｉｇｈより大きく、かつ背景輝度値ｂが所定の閾値Ｂ＿ｈｉｇｈより大きい場合（ステップＳ１０５、ＹＥＳ）、外光が非常に強く、表示部４０のコントラストが低下しているため、処理強度算出部２３は、視認性向上処理を強く行なう必要があると判断して、処理強度ｋを最大値K_Mａxとする。
【００３８】
次に、ステップＳ１０５の判定結果がＮＯの場合、処理強度算出部２３は、前景輝度値ａと背景輝度値ｂとを比較して外光の方向を判定し（ステップＳ１０６）、処理強度ｋを算出する（ステップＳ１０７またはステップＳ１０８）。
【００３９】
次に、前景輝度値ａが背景輝度値ｂ以上の場合（ステップＳ１０６、ＹＥＳ）、ユーザの目に入る外光も大きくなり、それに伴って視認性の低下度合いも大きくなる。よって、処理強度算出部２３は、処理強度ｋを図５Ａに示す前景輝度値ａに比例する関数によって算出する。
【００４０】
一方、前景輝度値ａが背景輝度値ｂよりも低い場合（ステップＳ１０６、ＮＯ）、画像Ｉは逆光画像となり、処理強度算出部２３は、外光がユーザの背後方向から指していて、ユーザの目に直接外光が入ることはないものの、周りの照度が高くなると、表示部４０のコントラストが低下するため、視認性が低下するものと判断する。
【００４１】
ここで、前景輝度値ａと背景輝度値ｂの比ｂ／ａは、逆光画像の逆光の程度を表し、比ｂ／ａが大きいということは、逆光の程度は大きく、周りの照度が高いことを意味する。よって、前景輝度値ａと背景輝度値ｂの比ｂ／ａの大きさに合わせて処理強度ｋを強くする必要がある。すなわち、比ｂ／ａの大きさと外光の強さとは比例するので、処理強度算出部２３は、処理強度ｋを逆光の程度を表す比ｂ／ａに比例する値として算出する。
【００４２】
次に、画像処理部３０は、視認性を向上させるための処理を行い、表示部４０は、視認性を向上させるための処理に従って、メールの文書またはアプリケーションコンテンツに係る画像等を表示する（ステップＳ１０９）。
【００４３】
このように、本実施の形態によれば、表示部４０の表示面４１と同じ面に配置された撮影部１０が撮影した画像の撮影情報に基づいて前景部輝度と背景部輝度を算出し、両輝度に基づき視認性指示を算出するので、表示部４０が配置される面の裏面側に照度センサを設ける必要がなく、簡単な構成で表示部４０の視認性を向上するための画像処理制御を行うことができる。また、本実施の形態によれば、撮影部１０は、ユーザが表示部４０を視認する状態である表示部４０と対面する撮影部１０でユーザの顔面を撮影するので、常時安定した位置関係で前面部および背面部を撮影することができる。また、本実施の形態によれば、画像処理強度ｋを算出するための撮影は、ユーザが表示部４０を視認している間、例えば２秒ごとに繰返し行うので、ユーザが表示面４１を視認中に周辺の光量の条件が変動した場合も、条件変動に応じた視認性向上のための処理を行なうことができる。
【産業上の利用可能性】
【００４４】
本発明にかかる表示装置及び表示方法は、特に外光による影響を考慮して表示面に表示する画像を調整するのに好適である。
【図面の簡単な説明】
【００４５】
【図１】本発明の実施の形態に係る表示装置の構成を示すブロック図
【図２】本発明の実施の形態に係る表示装置の使用例を示す図
【図３】本発明の実施の形態に係る撮影部にて撮影された画像の前景部と背景部とを示す図
【図４】本発明の実施の形態に係る撮影部にて撮影される画像を示す図
【図５】本発明の実施の形態に係る表示装置における輝度値と処理強度ｋとの関係を示す図
【図６】本発明の実施の形態に係る表示装置の動作を示すフロー図
【手続補正３】
【補正対象書類名】図面
【補正対象項目名】全図
【補正方法】変更
【補正の内容】
【図１】
2008129596.tif 000009
【図２】
2008129596.tif 000010
【図３】
2008129596.tif 000011
【図４】
2008129596.tif 000012
【図５】
2008129596.tif 000013
【図６】
2008129596.tif 000014
【国際調査報告】
2008129596.tif 000015
2008129596.tif 000016
2008129596.tif 000017
2008129596.tif 000018